(57)【要約】      （修正有）【課題】加湿装置のエネルギー利用効率を高め、結果的に地球温暖化の原因と目されているＣＯ２の排出量を低減させる。【解決手段】ガスなどの燃焼ガス中に直接水分を供給して蒸発させ、その気体を加湿に利用し、また、予め室内のＣＯ２濃度と相対湿度の関連を調査しておき、湿度計測制御器により、燃料ガス量を制御することにより、居室内のＣＯ２濃度を恕限度以内に制御する。【選択図】図１
2004279016.tif 000002
【特許請求の範囲】
【請求項１】
天然ガス又はその他のガス状燃料を燃焼させ、発生した燃焼ガス中に微細な水滴を噴霧または供給して蒸発させ、これらの気体を居室に導いて室内の加湿に利用することを特徴とした加湿装置。
【請求項２】
燃焼ガス中に水分を供給して蒸発させ、これらの気体を居室に導いて室内の加湿に利用する湿度調整装置において、予め室内のＣＯ２濃度と相対湿度の関連を調査しておき、湿度計測制御器により、燃焼ガス量を制御することにより、居室内のＣＯ２濃度を恕限度以内に制御することを特徴とした加湿装置。
【発明の詳細な説明】
【０００１】
【発明の属する技術分野】
本発明は、熱エネルギーを電気エネルギーに変換することなく、直接利用して居室内の湿度調整に供する加湿器に関する。
【０００２】
【従来の技術】
従来、居室内の加湿は、ボイラーなどで作った水蒸気を居室又は空調機内に吹き出して行うか、電気ヒーターで水を加熱して水蒸気を発生させ居室に導いて行うか、あるいは超音波振動子で水を微小粒子に砕き、これを空気流に乗せて吹き出し、空気中で蒸発させて行っている。
【０００３】
【発明が解決しようとする課題】
従来の加湿方法では、ガスなどの燃焼エネルギーの一部しか加湿に役立っていない。
すなわち、ボイラーで蒸気を作って噴出す方法ではボイラーの熱効率分だけ、電気ヒーターを利用する方法ではボイラーの熱効率、発電機の機械効率、電気を電圧変換や送電する効率まで影響することになる。超音波振動子による方法では、水分の蒸発によって空気温度を低下させてしまうので、蒸発が不十分という事態も引き起こしている。
【０００４】
本発明は、ガスなどの燃焼エネルギーを最大限有効利用して加湿を行うことを目的とし、あわせて地球温暖化の原因と目されているＣＯ２の排出量を低減させることを目的としている。
【０００５】
【課題を解決するための手段】
前記目的を達成するために、本発明では、天然ガスなどを燃焼させて発生した燃焼ガス中に直接水分を供給し、その場で蒸発させる加湿装置を提供する。
【０００６】
こうすることにより天然ガスなどの発生する熱エネルギーを最大限有効に利用して加湿が出来るし、居室内の暖房にも役立てることが出来る。
【０００７】
また、燃料の利用効率が高まることにより、地球規模で見た場合、加湿のために消費される燃料の使用料を減らすことができ、ひいては燃料燃焼に伴って排出されるＣＯ２の量を減らすことが出来る。
【０００８】
一方、本発明では、燃焼ガスが居室内で発生されることになるが、これまでも暖房用として石油ストーブやガスストーブが使用されており、加湿の意味で、ストーブの上部に薬缶を置いて、沸騰する水を加湿に用いていた。最近のストーブでは、薬缶を置く代わりに燃焼部付近に蒸発パンを設置し、このパンに水の入ったタンクよりサイフォンの原理を利用して給水し加湿を行っている。
【０００９】
また、本発明では、前述の通り燃焼ガスが居室内で発生されるかまたは導入されることになるが、従来の事例より、換気を充分行えば安全は確保されることが分かっている。すなわち、従来のストーブによる暖房・加湿でも、加湿量は多少不足することはあっても、実用に供しうることが分っている。
【００１０】
本発明では、居室内のＣＯ２濃度を恕限度（一般的には１，０００ｐｐｍ）以下に保つことは勿論のこと、高価であったりメンテナンスを必要とするＣＯ２濃度計と制御装置を使用する代わりに、空調関連の設備工事で実績のある湿度計測制御装置を採用して、燃料の燃焼量と加える水分の量を調整することによって、居室内のＣＯ２濃度と湿度を調整することが出来る加湿装置を提供する。
【００１１】
好ましい構成例では、燃焼部分、細かい霧状の水分を供給する給水部分、燃焼空気を供給する送恩機およびそれらを取り付ける容器からなる加湿装置と燃焼ガス量、給水量、送風量を制御する湿度計測制御装置から成ることを特徴とする。
【００１２】
この構成によれば、湿度計測制御装置に電源を供給することによって、燃焼装置で発生した燃焼ガスに細かい霧状の水が加えられ、十分蒸発した状況で、湿度の高くなった空気が居室に供給され、居室内の湿度が適切に保たれる。湿度が高くなったことを湿度計測制御装置が検知すると燃料供給量が絞られるとともに、水分の供給量も絞られ、加湿量が減少することによって居室内の湿度が適切な範囲に維持される。
【００１３】
【発明の実施の形態】
図１は、本発明の実施の形態に係わる加湿装置の構成図である。
この加湿装置１０は、燃焼空気を供給する送風機１，燃料ガスを燃焼させる燃焼器２，生成された燃焼ガスに細かいミスト状の水分を供給する給水装置５を収容している。一方、居室内には居室内の相対湿度を計測して送風機１の運転や燃焼ガス量や給水量を調節する湿度計測制御装置８が設置される。
【００１４】
燃焼器２には燃料ガスを供給する配管４が接続され、更に燃料ガス量を調整するバルブ３が接続され、ガス源に接続されている（図示せず）。同様に給水装置５には水を供給する配管７が接続され、更に給水量を調整するバルブ６が接続され、水源に接続されている（図示せず）。
燃料ガス量を調整するバルブ３、給水量を調整するバルブ６および送風機１は湿度計測制御装置８に接続されている。
【００１５】
湿度計測制御装置８に電源のスイッチが入れられると、まず送風機１が運転を開始し出し、次に燃料ガス量を調整するバルブ３が作動して燃料ガスが燃焼器２に供給されて着火する。所定時間経過後に給水量を調整するバルブ６が作動して、燃焼ガス中に細かい霧状のミストが噴霧される。燃焼ガスの高温によってミストは蒸発して湿度の高い空気となって居室内に供給される。ミストの供給量は、居室内の温度より１０
から２いＣ程度高くなるようにする。
【００１６】
居室内の湿度が高くなると、湿度計測制御装置８の指令によって、燃料ガス量を調整するバルブ３が作動して燃料ガス供給量が絞られ生成する燃焼ガスの量が減少する。同時に湿度計測制御装置８の指令によって、給水量を調整するバルブ６も作動して、給水量が絞られる。これによって居室内の相対湿度が適切な範囲内に維持される。
【００１７】
なお、本発明ではガス状の燃料としたが、硫黄分などの不純物が少なければてガス状の燃料である必要はない。また、湿度計測制御装置は１箇所の設置を想定しているが、複数箇所に設置しても良い。
【００１８】
本発明では、ガス燃料と水は配管で供給される例を示しているが、ガスボンベや給水タンクを利用して、可搬式としても良い。このときは湿度計測制御装置は加湿装置本体に設置する。
【００１９】
【発明の効果】
居室内のＣＯ２濃度と相対湿度の関連は予めチェックしておく必要があるが、燃焼のエネルギーをほとんど無駄なく加湿のために利用できるので、居室内のＣＯ２恕限濃度以内に維持できる。
【００２０】
以上説明したように、本発明では、燃焼ガス中に直接水分を吹き込んで蒸発させ、その湿度の高くなった空気を、居室内の加湿に使用するので熱効率を最も高くすることができ、他の方法で加湿をする場合に比べて少ない熱エネルギーで加湿できる。
【図面の簡単な説明】
【図１】本発明の実施の形態に係わる加湿装置の構成因。
【符号の説明】
１：送風機、２：燃焼器、３：ガス量調整バルブ、４：燃料ガス供給配管、５：給水装置、６：給水量調整バルブ、７：給水配管、８：湿度計測制御装置、９：電源、１０：加湿装置
【図１】
2004279016.tif 000003